(57)【要約】      （修正有）【課題】立ち上がり困難な訓練者が、立ち上がりが出来るようになるために安全に座ったままで訓練が出来る訓練具を提供する。【解決手段】重りを具備して負荷を変える事が出来る機構を有し、座位姿勢にて行うフレーム構造の上下腿部運動器具であって、床面に設置される装置本体１と、装置本体に揺動軸線を中心として揺動自在に具備された左右一対の揺動アーム１１と、揺動アームに具備された左右一対の上下腿部背面載置手段（載置具４、５及び載置用軸６、７）と、揺動アームに負荷を付与するための負荷付与手段（重り３）を備える。【選択図】図３
0003224200.tif 000002
【実用新案登録請求の範囲】
【請求項１】
重りを具備して負荷を変える事が出来る機構を有し、座位姿勢にて行うフレーム構造の上下腿部運動器具であって、床面に設置される装置本体と、前記装置本体に揺動軸線を中心として揺動自在に具備された左右一対の揺動アームと、前記揺動アームに具備された左右一対の上下腿部背面載置手段と、前記揺動アームに負荷を付与するための負荷付与手段を備えることを特徴とする上下腿部運動器具。
【請求項２】
装置本体に具備された椅子は、前記椅子下部に椅子軸と前記椅子軸に連結された椅子揺動軸受を設けると共に、前記椅子の過剰な揺動動作を緩和するための緩衝部材を設けたことを特徴とする請求項１に記載の上下腿部運動器具。
【請求項３】
上下腿部背面載置手段は、前記揺動アームに水平に設けた左右一対の上腿部背面載置用軸と下腿部背面載置用軸にそれぞれ回転自在に取り付けた上腿部背面載置具と下腿部背面載置具とからなり、前記上腿部背面載置具と前記下腿部背面載置具は、上下腿部の前後の揺動動作に連動して正逆回転することを特徴とする請求項１または請求項２に記載の上下腿部運動器具。
【考案の詳細な説明】
【技術分野】
【０００１】  本考案は、椅子に座る通常生活で稼働させる機会の少ない立ち上がりに使用する上下腿部の筋肉群や臀部筋肉群を座ったままで安全に活性化させることを目的にした運動器具に関する。
【背景技術】
【０００２】  日常生活では、椅子に座る姿勢が常態化している。椅子に座る姿勢により、上下腿部や臀部の筋肉群を使う機会が少なくなり高齢化と共に足腰が弱り立ち上がり困難や歩行困難などの悪循環に陥る。【０００３】  このようなことから、立ち上がり訓練のための筋肉トレーニングマシンが提案され実用に供されている。（特許文献１参照）
【先行技術文献】
【特許文献】
【０００４】
【特許文献１】特開２００９−２０１８８０号公報
【考案の概要】
【考案が解決しようとする課題】
【０００５】  上述した筋肉トレーニングマシンにおいては、座った状態にて揺動アームのクッションを両太股の上側に作用させて座部材から立ち上り運動を行う機能を備えている。【０００６】  ところが、立ち上がりが困難な訓練者に、安全に立ち上がりが出来る状態になるまでは、座ったままで上下腿部や臀部の筋肉群の訓練が出来る運動器具の実現が望まれていた。【０００７】  本考案の目的は、立ち上がりが困難な高齢者などに座った状態で安全に訓練に用いることができる訓練具を提供することである。
【課題を解決するための手段】
【０００８】  本考案の請求項１に記載の運動器具では、重りを具備して負荷を変える事が出来る機構を有し、座位姿勢にて行うフレーム構造の上下腿部運動器具であって、床面に設置される装置本体と、前記装置本体に揺動軸線を中心として揺動自在に具備された左右一対の揺動アームと、前記揺動アームに具備された左右一対の上下腿部背面載置手段と、前記揺動アームに負荷を付与するための負荷付与手段を備えることを特徴とする。【０００９】  また、本考案の請求項２に記載の運動器具では、装置本体に具備された椅子は、前記椅子下部に椅子軸と前記椅子軸に連結された椅子揺動軸受を設けると共に、前記椅子の過剰な揺動動作を緩和するための緩衝部材を設けたことを特徴とする。【００１０】  また、本考案の請求項３に記載の運動器具では、上下腿部背面載置手段は、前記揺動アームに水平に設けた左右一対の上腿部背面載置用軸と下腿部背面載置用軸にそれぞれ回転自在に取り付けた上腿部背面載置具と下腿部背面載置具とからなり、前記上腿部背面載置具と前記下腿部背面載置具は、上下腿部の前後の揺動動作に連動して正逆回転することを特徴とする。
【考案の効果】
【００１１】  本考案の請求項１に記載の運動器具では、重りを具備して負荷を変える事が出来る機構を有し、座位姿勢にて行うフレーム構造の上下腿部運動器具であって、床面に設置される装置本体と、前記装置本体に揺動軸線を中心として揺動自在に具備された左右一対の揺動アームと、前記左右一対の揺動アームに具備された左右一対の上下腿部背面載置手段と、前記左右一対の揺動アームに負荷を付与するための負荷付与手段を備えたことにより、訓練者は前記座位姿勢になり前記左右一対の揺動アームに具備された前記左右一対の上下腿部背面載置手段に左右上下腿部背面を載置し、座った状態で前記左右上下腿部背面を揺動させることによって立ち上がり困難な訓練者が、立ち上がりが出来るようになるために座った状態で安全に左右上下腿部や臀部の筋肉群の訓練が出来る。【００１２】  また、本考案の請求項２に記載の運動器具では、装置本体に具備された椅子は、前記椅子下部に椅子軸と前記椅子軸に連結された椅子揺動軸受を設けると共に、前記椅子の過剰な揺動動作を緩和するための緩衝部材として前記椅子軸の前、装置本体の前方に支柱Ａを設け、前記椅子軸の後、前記装置本体の後方に支柱Ｂを設け、前記支柱Ａと前記支柱Ｂのそれぞれにバネを具備したことにより、椅子が前後過剰な揺動で筋肉群に無理な負荷を掛けること無くスムーズな訓練が出来る。【００１３】  また、本考案の請求項３に記載の運動器具では、上下腿部背面載置手段は、前記揺動アームに水平に設けた左右一対の上腿部背面載置用軸と下腿部背面載置用軸にそれぞれ正逆回転自在に取り付けた上腿部背面載置具と下腿部背面載置具とからなり、前記上腿部背面載置具と前記下腿部背面載置具は、上下腿部の前後の揺動動作に連動して正逆回転することで、訓練者の上下腿部背面が載置し易くなり、前記上下腿部背面の摩擦を無くして上下腿部や臀部の筋肉群の訓練がスムーズに出来る。
【図面の簡単な説明】
【００１４】
【図１】  運動器具の一実施形態を示す正面図
【図２】  図１の運動器具の側面図
【図３】  図１の運動器具を用いた上腿部背面の前下方揺動運動前における運動姿勢を説明するための図
【図４】  図１の運動器具を用いた上腿部背面の前下方揺動運動後における運動姿勢を説明するための図
【図５】  図１の運動器具を用いた下腿部背面の前下方揺動運動前における運動姿勢を説明するための図
【図６】  図１の運動器具を用いた下腿部背面の前下方揺動運動後における運動姿勢を説明するための図
【考案を実施するための形態】
【００１５】以下、図１〜６に基づき、本考案の上下腿部運動器具の一実施形態について説明する。図１は、上下腿部運動器具の一実施形態を示す正面図であり、図２は、図１の上下腿部運動器具の側面図であり、図３から図６は、図１の上下腿部運動器具を用いた上下腿部運動の姿勢を説明するための図である。
【００１６】  図１及び図２において、図示の上下腿部運動器具は、装置本体１に椅子２を具備し、左右一対の揺動アーム１１を具備し、前記揺動アーム１１にそれぞれ正逆回転自在に取り付けた上腿部背面載置具４と下腿部背面載置具５とからなり、上腿部背面載置用軸６に上腿部背面載置具４や下腿部背面載置用軸７に下腿部背面載置具５を具備したフレーム構造となっている。
【００１７】  この実施形態では、椅子２は椅子下部の椅子揺動軸受８を中心として椅子軸９が前後に揺動する構造となっている。前後に揺動する際の緩衝部材として前記椅子軸９の前、装置本体１の前方に支柱Ａ１３を設け、前記椅子軸９の後、前記装置本体１の後方に支柱Ｂ１４を設け、前記支柱Ａ１３と前記支柱Ｂ１４のそれぞれにバネ１２を具備し衝撃を緩和する構造となっている。
【００１８】  揺動自在に装着された揺動アーム１１は、重り３によって負荷の増減が出来る。揺動アーム１１には、揺動アーム１１に水平に設けた左右一対の上腿部背面載置用軸６と上腿部背面載置用具４、下腿部背面載置用軸７と下腿部背面載置具５を具備し、前記上腿部背面載置用軸６を中心に前記上腿部背面載置用具４が正逆自在に回転でき、前記下腿部背面載置用軸７を中心に前記下腿部背面載置具５が正逆自在に回転できる構造となっている。
【００１９】  上述した上下腿部運動器具の装置本体１を用いて、上腿部や下腿部や臀部の筋肉群を座ったままで訓練を行うには、次の通りにすればよい。主として、図３を参照して、訓練者１５は、装置本体１の椅子２に装置本体１に向かって、上腿部背面を上腿部背面載置具４に載せて座る。次に図４のように、前記上腿部背面載置具４に載せた上腿部背面を前下方に揺動させることで上腿部や臀部の筋肉群の筋力活性化を図ることができる。
【００２０】  また、図５を参照して、訓練者１５は、装置本体１の椅子２に装置本体１に向かって、下腿部背面を下腿部背面載置具５に載せて座る。次に図６のように、前記下腿部背面載置具５に載せた下腿部背面を前下方に揺動させることで下腿部や臀部の筋肉群の筋力活性化を図ることができる。
【００２１】  特に、この装置本体１においては、訓練者１５は上下腿部背面を前後方向に揺動させる際、座っている椅子２の椅子軸９が椅子揺動軸受８を中心に前後に揺動すると同時に、その動きに連動して揺動アーム１１に具備されている上腿部背面載置具４や下腿部背面載置具５が正逆回転することで、訓練者１５の上下腿部背面が載置し易くなり、前記上下腿部背面の摩擦を無くして上下腿部や臀部の筋肉群の訓練がスムーズに出来ることで上下腿部や臀部の筋肉群の筋力活性化を図ることができる。
【００２２】  以上、本考案の上下腿部運動器具の実施形態について説明したが、本考案はこれらの実施形態に限定されるものではなく、本考案の範囲を逸脱することなく種々の変形乃至修正が可能である。
【符号の説明】
【００２３】  １    装置本体
２    椅子
３    重り（負荷付与手段）
４    上腿部背面載置具
５    下腿部背面載置具
６    上腿部背面載置用軸
７    下腿部背面載置用軸
８    椅子揺動軸受
９    椅子軸
１０  揺動アーム軸受
１１  揺動アーム
１２  バネ（緩衝部材）
１３  バネ用支柱Ａ
１４  バネ用支柱Ｂ
１５  訓練者
【図１】
0003224200.tif 000003
【図２】
0003224200.tif 000004
【図３】
0003224200.tif 000005
【図４】
0003224200.tif 000006
【図５】
0003224200.tif 000007
【図６】
0003224200.tif 000008